【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
−  １種または２種以上の重合性メソゲン化合物からなる、重合性液晶成分（Ａ）、および、
−  １種または２種以上の非重合性化合物からなる、非重合性成分（Ｂ）
からなる重合性液晶媒体から得ることができる、複屈折ＲＭレンズ。
【請求項２】
重合性液晶成分（Ａ）が式Ｉ
Ｐ−Ｓｐ−ＭＧ−Ｒ０      Ｉ
式中
Ｐは、重合性基であり、
Ｓｐは、スペーサー基または単結合であり、
ＭＧは、式Ｍ
−（Ａ２１−Ｚ２１）ｋ−Ａ２２−（Ｚ２２−Ａ２３）ｌ−      Ｍ
から選択された棒形状のメソゲン基であり、
Ａ２１〜Ａ２３は、各出現において互いに独立して、１つまたは２つ以上の同一であるかまたは異なる基Ｌによって置換されていてもよい、アリール、ヘテロアリール、複素環式または脂環式基であり、
Ｚ２１およびＺ２２は、各出現において互いに独立して、−Ｏ−、−Ｓ−、−ＣＯ−、−ＣＯＯ−、−ＯＣＯ−、−Ｓ−ＣＯ−、−ＣＯ−Ｓ−、−Ｏ−ＣＯＯ−、−ＣＯ−ＮＲ０１−、−ＮＲ０１−ＣＯ−、−ＮＲ０１−ＣＯ−ＮＲ０２−、−ＮＲ０１−ＣＯ−Ｏ−、−Ｏ−ＣＯ−ＮＲ０１−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−（ＣＨ２）４−、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲ０１−、−ＣＹ０１＝ＣＹ０２−、−Ｃ≡Ｃ−、−ＣＨ＝ＣＨ−ＣＯＯ−、−ＯＣＯ−ＣＨ＝ＣＨ−または単結合であり、
Ｌは、複数回出現の場合においては互いに独立して、Ｈ、ハロゲン、ＣＮであるか、または、ハロゲン化されていてもよい、１〜５個のＣ原子を有するアルキル、アルコキシ、アルキルカルボニル、アルコキシカルボニル、アルキルカルボニルオキシもしくはアルコキシカルボニルオキシであり、
Ｒ０は、Ｈであるか、１〜２０個のＣ原子を有するアルキル、アルコキシ、チオアルキル、アルキルカルボニル、アルコキシカルボニル、アルキルカルボニルオキシまたはアルコキシカルボニルオキシであるか、あるいはＹ０またはＰ−Ｓｐ−であり、
Ｙ０は、Ｆ、Ｃｌ、ＣＮ、ＮＯ２、ＯＣＨ３、ＯＣＮ、ＳＣＮであるか、フッ素化されていてもよい、１〜４個のＣ原子を有するアルキルカルボニル、アルコキシカルボニル、アルキルカルボニルオキシもしくはアルコキシカルボニルオキシ、または一フッ素化、オリゴフッ素化もしくは多フッ素化された１〜４個のＣ原子を有するアルキルもしくはアルコキシであり、
Ｙ０１およびＹ０２は、各々、互いに独立してＨ、Ｆ、ＣｌまたはＣＮを示し、
Ｒ０１およびＲ０２は、互いに独立してＨであるか、または１〜２０個のＣ原子、好ましくは、１〜６個のＣ原子を有する直鎖状もしくは分枝状アルキルであり、ならびに
ｋおよびｌは、各々独立して０、１、２、３または４である、
から選択された少なくとも１種の重合性メソゲン化合物を含むことを特徴とする、請求項１に記載の複屈折ＲＭレンズ。
【請求項３】
重合性液晶成分（Ａ）が、式ＩＩから選択された少なくとも１種の重合性メソゲン化合物、および式ＩＩＩから選択された少なくとも１種の重合性メソゲン化合物
【化１】
2016509247.tif 000001
式中
Ｐは、重合性基であり、
Ｓｐは、スペーサー基または単結合であり、
Ａ２１〜Ａ３３は、各出現において互いに独立して、１つまたは２つ以上の同一であるかまたは異なる基Ｌによって置換されていてもよい、アリール、ヘテロアリール、複素環式または脂環式基であり、
Ｚ２１およびＺ２２は、各出現において互いに独立して、−Ｏ−、−Ｓ−、−ＣＯ−、−ＣＯＯ−、−ＯＣＯ−、−Ｓ−ＣＯ−、−ＣＯ−Ｓ−、−Ｏ−ＣＯＯ−、−ＣＯ−ＮＲ０１−、−ＮＲ０１−ＣＯ−、−ＮＲ０１−ＣＯ−ＮＲ０２、−ＮＲ０１−ＣＯ−Ｏ−、−Ｏ−ＣＯ−ＮＲ０１−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−（ＣＨ２）４−、−ＣＦ２ＣＨ２−、−ＣＨ２ＣＦ２−、−ＣＦ２ＣＦ２−または単結合であり、
Ｚ３１およびＺ３２は、各出現において互いに独立して、−ＣＨ＝Ｎ−、−Ｎ＝ＣＨ−、−Ｎ＝Ｎ−、−ＣＨ＝ＣＲ０１−、−ＣＹ０１＝ＣＹ０２−、−Ｃ≡Ｃ−、−ＣＨ＝ＣＨ−ＣＯＯ−、−ＯＣＯ−ＣＨ＝ＣＨ−であり、共に存在する場合には、Ｚ３１およびＺ３２の一方はまた、−Ｏ−、−Ｓ−、−ＣＯ−、−ＣＯＯ−、−ＯＣＯ−、−Ｓ−ＣＯ−、−ＣＯ−Ｓ−、−Ｏ−ＣＯＯ−、−ＣＯ−ＮＲ０１−、−ＮＲ０１−ＣＯ−、−ＮＲ０１−ＣＯ−ＮＲ０２−、−ＮＲ０１−ＣＯ−Ｏ−、−Ｏ−ＣＯ−ＮＲ０１−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−（ＣＨ２）４−、−ＣＦ２ＣＨ２−、−ＣＨ２ＣＦ２−、−ＣＦ２ＣＦ２−または単結合を示すことができ、
Ｌは、複数回出現の場合においては互いに独立して、Ｈ、ハロゲン、ＣＮであるか、またはハロゲン化されていてもよい、１〜５個のＣ原子を有するアルキル、アルコキシ、アルキルカルボニル、アルコキシカルボニル、アルキルカルボニルオキシもしくはアルコキシカルボニルオキシであり、
Ｒ０は、Ｈであるか、フッ素化されていてもよい、１〜２０個のＣ原子を有するアルキル、アルコキシ、チオアルキル、アルキルカルボニル、アルコキシカルボニル、アルキルカルボニルオキシもしくはアルコキシカルボニルオキシであるか、またはＹ０もしくはＰ−Ｓｐ−であり、
Ｙ０は、Ｆ、Ｃｌ、ＣＮ、ＮＯ２、ＯＣＨ３、ＯＣＮ、ＳＣＮであるか、フッ素化されていてもよい、１〜４個のＣ原子を有するアルキルカルボニル、アルコキシカルボニル、アルキルカルボニルオキシもしくはアルコキシカルボニルオキシ、または一フッ素化、オリゴフッ素化もしくは多フッ素化された、１〜４個のＣ原子を有するアルキルもしくはアルコキシ、好ましくはＦ、Ｃｌ、ＣＮ、ＮＯ２、ＯＣＨ３であるか、または一フッ素化、オリゴフッ素化もしくは多フッ素化された、１〜４個のＣ原子を有するアルキルもしくはアルコキシであり、
Ｙ０１およびＹ０２は、各々、互いに独立して、Ｈ、Ｆ、ＣｌまたはＣＮを示し、
Ｒ０１およびＲ０２は、互いに独立して、Ｈであるか、または１〜２０個のＣ原子、好ましくは１〜６個のＣ原子を有する直鎖状もしくは分枝状アルキルであり、ならびに
ｋおよびｌは、各々、独立して、０、１、２、３または４である、
を含むことを特徴とする、請求項１または２に記載の複屈折ＲＭレンズ。
【請求項４】
重合性液晶成分がＡ式ＩＩ−１〜ＩＩ−２７から選択された少なくとも１種の重合性メソゲン化合物および式ＩＩＩ−１〜ＩＩＩ−１２から選択された少なくとも１種の重合性メソゲン化合物
【化２】
2016509247.tif 000002
【化３】
2016509247.tif 000003
【化４】
2016509247.tif 000004
【化５】
2016509247.tif 000005
【化６】
2016509247.tif 000006
式中
Ｐ０は、複数回出現の場合においては互いに独立して、重合性基であり、
Ａ０は、複数回出現の場合においては互いに独立して、１、２、３もしくは４つの基Ｌで置換されていてもよい１，４−フェニレン、またはトランス−１，４−シクロヘキシレンであり、
Ｚ０は、複数回出現の場合においては互いに独立して、−ＣＯＯ−、−ＯＣＯ−、−ＣＨ２ＣＨ２−または単結合であり、
ｒは、０、１、２、３または４であり、
ｕおよびｖは、互いに独立して０、１または２であり、
ｗは、０または１であり、
ｘおよびｙは、互いに独立して０または１〜１２の同一であるかもしくは異なる整数であり、
ｚは、０または１であり、ｚは、隣接するｘまたはｙが０である場合には０であり、
ベンゼンおよびナフタレン環はさらに、１つまたは２つ以上の同一であるかまたは異なる基Ｌで置換され得、ならびに
パラメーターＲ０、Ｙ０、Ｒ０１、Ｒ０２およびＬは、式Ｉにおいて上に示したのと同一の意味を有する、
を含むことを特徴とする、請求項１〜３のいずれか一項に記載の複屈折ＲＭレンズ。
【請求項５】
重合性液晶成分Ａが式ＩＩａ〜ＩＩｃから選択された少なくとも１種の重合性メソゲン化合物および式ＩＩＩａ〜ＩＩＩｈから選択された少なくとも１種の重合性メソゲン化合物
【化７】
2016509247.tif 000007
【化８】
2016509247.tif 000008
式中、パラメーターＲ０は式Ｉにおいて上に示したのと同一の意味を有し、ｘおよびｙは互いに独立して１〜１２の整数である、
を含むことを特徴とする、請求項１〜４のいずれか一項に記載の複屈折ＲＭレンズ。
【請求項６】
非重合性成分（Ｂ）が触媒、増感剤、安定剤、重合開始剤、阻害剤、連鎖移動剤、潤滑剤、湿潤剤、分散剤、疎水剤、接着剤、流動性向上剤、消泡剤、脱気剤、希釈剤、反応性希釈剤、補助剤、着色剤または顔料から選択された少なくとも１種の非重合性化合物からなることを特徴とする、請求項１〜５のいずれか一項に記載の複屈折ＲＭレンズ。
【請求項７】
重合性液晶成分Ａの液晶媒体中の量が全液晶媒体の９５重量％より高いことを特徴とする、請求項１〜６のいずれか一項に記載の複屈折ＲＭレンズ。
【請求項８】
非重合性成分Ｂの液晶媒体中の量が全液晶媒体の５重量％より低いことを特徴とする、請求項１〜７のいずれか一項に記載の複屈折ＲＭレンズ。
【請求項９】
未硬化の重合性液晶媒体が少なくとも１時間にわたる結晶化に対する室温安定性を示すことを特徴とする、請求項１〜７のいずれか一項に記載の複屈折ＲＭレンズ。
【請求項１０】
ＲＭレンズの複屈折（Δｎ）が０．１０〜０．５０の範囲内にあることを特徴とする、請求項１〜８のいずれか一項に記載の複屈折ＲＭレンズ。
【請求項１１】
請求項１〜９のいずれか一項に記載の複屈折ＲＭレンズの製造方法であって、以下のステップ
−  重合性液晶媒体の溶解物の層を基板上に、室温または高い温度で提供すること、
−  逆のレンズ型を、コーティングした重合性液晶媒体の上に提供すること、
−  型中の重合性液晶媒体を高い温度で焼きなますこと、
−  型を冷却すること、
−  重合性液晶媒体を硬化させること、および
−  任意に型を取り外すこと
を含む、前記方法。
【請求項１２】
請求項１〜９のいずれか一項に記載の複屈折ＲＭレンズの、電気光学デバイスにおける使用。
【請求項１３】
請求項１〜９のいずれか一項に記載の少なくとも１つの複屈折ＲＭレンズを含む、電気光学デバイス。